(57)【要約】  第１無線ネットワーク制御器ＳＲＮＣ１０により制御される領域から第２無線ネットワーク制御器ＤＲＮＣ１０により制御される領域へ移動する移動端末ＵＥ２にポイントツーマルチポイントサービス（ＭＢＭＳ）を提供するための方法及び装置が提供される。第２無線ネットワーク制御器ＤＲＮＣ１０がポイントツーポイント通信モードを支援するか、または、ポイントツーマルチポイント通信モードを支援するかを表す伝送モード状態に関する情報が前記第１無線ネットワーク制御器ＳＲＮＣ１０に戻される。その情報は第２無線ネットワーク制御器ＤＲＮＣ１０にＭＢＭＳデータを伝送する必要があるか否かを判定するのに利用される。第２無線ネットワーク制御器ＤＲＮＣ１０の伝送状態がポイントツーポイント点である場合のみに、Ｉｕｒインターフェースを経てＭＢＭＳデータが第１無線ネットワーク制御器ＳＲＮＣ１０から第２無線ネットワーク制御器ＤＲＮＣ１０に伝送され、これによって第１及び第２ネットワーク制御器間に不要なデータ伝送を防止し、第２無線ネットワーク制御器ＤＲＮＣ１０と移動端末ＵＥ２との間の無線リソース効率性を増加させる。【選択図】図７
2007503738.tif 000002
【特許請求の範囲】
【請求項１】
移動端末にポイントツーマルチポイントサービスを提供する方法であって、
前記移動端末が第１ネットワーク制御器により制御される第１セルから第２ネットワーク制御器により制御される第２セルに移動する際、前記第２ネットワーク制御器により提供されるポイントツーポイント通信モードかポイントツーマルチポイント通信モードの何れか一つを指示する情報を前記第２ネットワーク制御器から受信するステップと、
前記受信された情報によって、ポイントツーマルチポイントサービスデータを前記第１ネットワーク制御器から前記第２ネットワーク制御器に伝送するか否かを決定するステップと、
を含むことを特徴とするＭＢＭＳ方法。
【請求項２】
前記ポイントツーマルチポイントはマルチメディアブロードキャスト／マルチキャストサービス（ＭＢＭＳ）サービスであることを特徴とする請求項１に記載のＭＢＭＳ方法。
【請求項３】
前記情報はポイントツーマルチポイントサービスアタッチ応答メッセージを経て伝送されることを特徴とする請求項１に記載のＭＢＭＳ方法。
【請求項４】
前記情報がポイントツーマルチポイント通信モードを指示する場合に、前記２ネットワーク制御器にポイントツーマルチポイントサービスデータを伝送しないステップを更に含むことを特徴とする請求項１に記載のＭＢＭＳ方法。
【請求項５】
前記情報がポイントツーポイント通信モードを指示する場合に、前記２ネットワーク制御器にポイントツーマルチポイントサービスデータを伝送するステップを更に含むことを特徴とする請求項１に記載のＭＢＭＳ方法。
【請求項６】
前記第１ネットワーク制御器はサービングネットワーク制御器であり、前記第２ネットワーク制御器はドリフトネットワーク制御器であることを特徴とする請求項１に記載のＭＢＭＳ方法。
【請求項７】
移動端末にポイントツーマルチポイントサービスを提供する方法であって、
前記移動端末が第１ネットワーク制御器により制御される第１セルから第２ネットワーク制御器により制御される第２セルへ移動する際、前記第２ネットワーク制御器により提供されるポイントツーポイント通信モードかポイントツーマルチポイント通信モードの何れか一つを指示する情報を前記第２ネットワーク制御器より受信するステップと、
コアネットワークからポイントツーマルチポイントサービスデータを、直接前記第１ネットワーク制御器を経るか、あるいは前記第１ネットワーク制御器と前記第２ネットワーク制御器を経て受信するステップと、
前記移動端末にポイントツーマルチポイントサービスデータを伝送するステップと、
を含むことを特徴とするＭＢＭＳ方法。
【請求項８】
前記ポイントツーマルチポイントサービスはマルチメディアブロードキャスト／マルチキャストサービス（ＭＢＭＳ）であることを特徴とする請求項７に記載のＭＢＭＳ方法。
【請求項９】
前記情報がポイントツーマルチポイント通信モードを指示する場合に、前記ポイントツーマルチポイントサービスデータは直接前記第２ネットワーク制御器を経て受信されることを特徴とする請求項７に記載のＭＢＭＳ方法。
【請求項１０】
前記情報がポイントツーポイント通信モードを指示する場合に、前記ポイントツーマルチポイントサービスデータは前記第１ネットワーク制御器及び前記第２ネットワーク制御器を経て受信されることを特徴とする請求項７に記載のＭＢＭＳ方法。
【請求項１１】
前記情報はポイントツーマルチポイントサービスアタッチ要求メッセージに対する応答として受信されることを特徴とする請求項７に記載のＭＢＭＳ方法。
【請求項１２】
前記情報はポイントツーマルチポイントサービスアタッチ応答メッセージを経て伝送されることを特徴とする請求項７に記載のＭＢＭＳ方法。
【請求項１３】
前記第１ネットワーク制御器はサービングネットワーク制御器であり、前記第２ネットワーク制御器はドリフトネットワーク制御器であることを特徴とする請求項７に記載のＭＢＭＳ方法。
【請求項１４】
移動端末にポイントツーマルチポイントサービスを提供する方法であって、
前記移動端末が第１ネットワーク制御器により制御される第１セルから第２ネットワーク制御器により制御される第２セルに移動する際、前記第１ネットワーク制御器から前記第２ネットワーク制御器にポイントツーマルチポイントサービスアタッチ要求メッセージを伝送するステップと、
前記第２ネットワーク制御器により提供されるポイントツーポイント通信モードかポイントツーマルチポイント通信モードの何れか一つを指示する情報を前記第２ネットワーク制御器から前記第１ネットワーク制御器に伝送するステップと、
前記第２ネットワーク制御器において、コアネットワークから直接前記第２ネットワーク制御器を経て伝送さるか、または前記第１ネットワーク制御器と前記第２ネットワーク制御器を経て伝送されるポイントツーマルチポイントサービスデータを受信するステップと、
前記第２ネットワーク制御器から前記移動端末に前記ポイントツーマルチポイントサービスデータを伝送するステップと
を含むことを特徴とするＭＢＭＳ方法。
【請求項１５】
前記ポイントツーマルチポイントサービスはマルチメディアブロードキャスト／マルチキャストサービス（ＭＢＭＳ）であることを特徴とする請求項１４に記載のＭＢＭＳ方法。
【請求項１６】
前記情報はポイントツーマルチポイントサービスアタッチ応答メッセージを経て前記第２ネットワーク制御器から前記第１ネットワーク制御器に伝送されることを特徴とする請求項１４に記載のＭＢＭＳ方法。
【請求項１７】
前記情報がポイントツーマルチポイント通信モードを指示する場合に、前記ポイントツーマルチポイントサービスデータは直接前記第２ネットワーク制御器を経て受信されることを特徴とする請求項１４に記載のＭＢＭＳ方法。
【請求項１８】
前記情報がポイントツーポイント通信モードを指示する場合に、前記ポイントツーマルチポイントサービスデータは前記第１ネットワーク制御器と前記第２ネットワーク制御器を経て受信されることを特徴とする請求項１４に記載のＭＢＭＳ方法。
【請求項１９】
前記第１ネットワーク制御器はサービングネットワーク制御器であり、前記第２ネットワーク制御器はドリフトネットワーク制御器であることを特徴とする請求項１４に記載のＭＢＭＳ方法。
【請求項２０】
移動端末にポイントツーマルチポイントサービスを提供するための無線ネットワークサブシステムであって、
前記移動端末及び第２無線ネットワークサブシステムにポイントツーマルチポイントサービスデータを伝送する送信器と、
前記第２無線ネットワークサブシステムにより提供されるポイントツーポイント伝送モードか、ポイントツーマルチポイント伝送モードの何れか一つを指示する情報を受信する受信器と、
前記第２無線ネットワークサブシステムにより提供される前記伝送モードに関連した情報を格納する情報格納ユニットと、
指定された領域内で前記移動端末を制御し、前記移動端末が前記指定された領域から前記第２無線ネットワークサブシステムにより制御される領域へ移動する場合、前記ポイントツーマルチポイントサービスに関連したポイントツーマルチポイントサービスデータを前記第２無線ネットワークサブシステムに伝送するか否かを決定するために前記第２無線ネットワークサブシステムから受信された情報を処理する制御器と、
を含むことを特徴とする無線ネットワークサブシステム。
【請求項２１】
前記ポイントツーマルチポイントサービスはマルチメディアブロードキャスト／マルチキャストサービス（ＭＢＭＳ）サービスであることを特徴とする請求項２０に記載の無線ネットワークサブシステム。
【請求項２２】
前記受信器は前記第２無線ネットワークサブシステムからの情報を含むポイントツーマルチポイントサービスアタッチ応答メッセージを受信することを特徴とする請求項２０に記載の無線ネットワークサブシステム。
【請求項２３】
前記情報がポイントツーマルチポイント通信モードを指示する場合、前記制御器は前記第２無線ネットワークサブシステムに前記ポイントツーマルチポイントサービスデータを伝送しないことを特徴とする請求項２０に記載の無線ネットワークサブシステム。
【請求項２４】
前記情報がポイントツーポイント通信モードを指示する場合、前記制御器は前記第２無線ネットワークサブシステムに前記ポイントツーマルチポイントサービスデータを伝送することを特徴とする請求項２０に記載の無線ネットワークサブシステム。
【請求項２５】
前記第１制御器はサービングネットワーク制御器であり、前記第２無線ネットワークサブシステムはドリフトネットワーク制御器であることを特徴とする無線ネットワークサブシステム。
【請求項２６】
移動端末にポイントツーマルチポイントサービスを提供するための無線ネットワークサブシステムであって、
ポイントツーマルチポイントサービスデータを前記移動端末に伝送し、前記無線ネットワークサブシステムにより提供されるポイントツーポイント通信モードかポイントツーマルチポイント通信モードの何れか一つを指示する情報を第２無線ネットワークサブシステムに伝送する送信器と、
ポイントツーマルチポイントサービスデータをコアネットワークから直接受信するか、あるいは前記コアネットワークから前記第２無線ネットワークサブシステムを経て受信する受信器と、
前記無線ネットワークサブシステムにより提供される通信モードと関連した情報を格納する情報格納ユニットと、
指定された領域内で前記移動端末を制御し、前記移動端末が前記第２無線ネットワークサブシステムにより制御される領域から前記指定された領域へ移動する際、提供されるポイントツーポイント通信モードかポイントツーマルチポイント通信モードの何れか一つを指示する情報を提供する制御器と
を含むことを特徴とする無線ネットワークサブシステム。
【請求項２７】
前記ポイントツーマルチポイントサービスはマルチメディアブロードキャスト／マルチキャストサービス （ＭＢＭＳ）であることを特徴とする請求項２６に記載の無線ネットワークサブシステム。
【請求項２８】
前記情報がポイントツーマルチポイント通信モードを指示する場合に、前記ポイントツーマルチポイントサービスデータはコアネットワークから直接受信されることを特徴とする請求項２６に記載の無線ネットワークサブシステム。
【請求項２９】
前記情報がポイントツーマルチポイント通信モードを指示する場合に、前記ポイントツーマルチポイントサービスデータはコアネットワークから前記第２無線ネットワークサブシステムを経て受信されることを特徴とする請求項２６に記載の無線ネットワークサブシステム。
【請求項３０】
前記受信器は前記第２無線ネットワークサブシステムからポイントツーマルチポイントアタッチ要求メッセージを受信し、前記制御器は前記ポイントツーマルチポイントサービスアタッチ要求メッセージに対する応答として前記情報を提供することを特徴とする請求項２６に記載の無線ネットワークサブシステム。
【請求項３１】
前記送信器は前記第２無線ネットワークサブシステムからポイントツーマルチポイントアタッチ応答メッセージを伝送し、前記制御器は前記ポイントツーマルチポイントサービスアタッチ応答メッセージを経て前記情報を提供することを特徴とする請求項２６に記載の無線ネットワークサブシステム。
【請求項３２】
前記制御器はドリフトネットワーク制御器であり、前記第２無線ネットワークサブシステムはサービングネットワーク制御器を含むことを特徴とする請求項２６に記載の無線ネットワークサブシステム。
【発明の詳細な説明】
【技術分野】
【０００１】
本発明は、汎用移動通信システム（ＵＭＴＳ; Universal Mobile Telecommunications System）からマルチメディア・ポイントツーマルチポイント・サービスを提供する方法及び装置に関し、より詳しくは、一つの無線ネットワーク制御器（ＲＮＣ; Radio Network Controller）により制御される領域から他の無線ネットワーク制御器により制御される領域へ移動する端末にマルチメディア・ポイントツーマルチポイント・サービスを提供する方法及び装置に関する。本方法及び装置はネットワーク及び無線リソースの効率のよい管理のためにＲＮＣ同士間の無線ベアラ情報(radio bearer information)を伝送する。
【背景技術】
【０００２】
図１には従来のＵＭＴＳネットワーク構造が図示されている。このようなＵＭＴＳネットワークでは、移動端末２またはユーザ設備（ＵＥ; User Equipment）がＵＴＲＡＮ（UMTS Terrestrial Radio Access Network）６を経てコアネットワーク４に接続される。ＵＴＲＡＮ６は少なくとも２つの無線ネットワークサブシステム８を含む。それぞれのサブシステム８は、一つのＲＮＣ１０と、対応するＲＮＣ１０により制御される少なくとも一つのノードＢ１２を備える。ノードＢ１２はＵＥ２とＵＴＲＡＮ６との間のアクセスポイントであって、ＵＥ２の物理層から伝送されるアップリンク情報を受信し、ダウンリンクデータをＵＥ２に伝送する。各々のＲＮＣ１０は無線リソースの割当及び管理を担当し、ＵＥ２とコアネットワーク４との間のアクセスポイントである。
【０００３】
特定のＵＥ２がＵＭＴＳネットワーク１でアクティブであれば、これに対するサービング（serving）ＲＮＣ１０として動作する一つのＲＮＣ１０が存在し、これはＵＥ２のデータ伝送のためのコアネットワーク４へのアクセスポイントとなる。他のＲＮＣ１０はドリフト（drift）ＲＮＣとして動作する。一つのＵＥ２とＵＴＲＡＮ６との間の接続はドリフトＲＮＣ無しでサービングＲＮＣ１０単独により達成できるか、または、追加で一つ以上のドリフトＲＮＣを要求することがある。何れの場合でも、ｌｕｂインターフェースを経てノードＢ１２に接続されるＲＮＣ１０はノードＢの無線リソースを制御する制御器ＲＮＣであって、これによって制御ＲＮＣと対応ノードＢとの間のポイントツーマルチポイント関係を生成する。制御ＲＮＣ１０は対応セル内でトラフィック負荷と輻輳を制御し、新たな無線リンクに対するコード受入とコード割当を制御する。
【０００４】
任意の時点でＵＴＲＡＮ６を経てＵＥ２とコアネットワーク４との間に情報を伝送することができる。一般的に、このような情報の伝送は、例えばサービングＲＮＣである一つのＲＮＣ１０を経て行われる。
【０００５】
ＵＥ２は移動性があるため、ＵＥ２は他のＲＮＣ１０が制御するノードＢ１２の領域（セル）へ移動する場合がある。このような場合は、ドリフトＲＮＣ１０の機能が必要であり、これによってＵＥ２はドリフトＲＮＣ１０を経てサービングＲＮＣ１０に接続される。
【０００６】
図２Ａは図１のＵＭＴＳネットワークの一部であって、サービングＲＮＣ（Ｒ１）１０のみを経てＵＥ２とコアネットワーク４との間に通常の接続がなされた場合である。図２ＢはサービングＲＮＣ（Ｒ１）に接続されたドリフトＲＮＣ（Ｒ２）を通じたＵＥ２とコアネットワーク４との間の通常の接続を図示する。ＵＥ２とコアネットワークとの間の初期接続は図２Ａに示すようにサービングＲＮＣ（Ｒ１）１０を通じるという点に注目されたい。
【０００７】
図２Ｂを参照すれば、ＵＥ２がドリフトＲＮＣ（Ｒ２）１０により制御されるセルに移動した場合、ＲＲＣ接続はドリフトＲＮＣ（Ｒ２）を経て確立されるが、ドリフトＲＮＣ（Ｒ２）はＩｕｒインターフェースを経てサービング ＲＮＣ（Ｒ１）に接続される。サービングＲＮＣ（Ｒ１）１０は依然としてＵＥ２を制御し、より上位層へのアクセスポイントとして動作し、ドリフトＲＮＣ（Ｒ２）は共通リソースとしてユーザデータルーティングまたはコード割当の機能を単純に実行する。サービングＲＮＣ１０及びドリフトＲＮＣ１０は特定のＵＥ２と特定のノードＢ１２との接続状態に関連したロジックにより区別される。
【０００８】
サービングＲＮＣ（Ｒ１）１０は無線インターフェースを通じたデータ入力またはＵＥ２に伝送されるデータを制御し、サービスを提供するのに適切な無線リソースを割り当てる。無線リソース管理機能は特定のＵＥ２に関連した制御機能であって、伝送チャンネル確立、ハンドオーバー決定、オープンループパワー制御を含む。
【０００９】
無線インターフェースプロトコルの第３層上に各々のＲＮＣ１０及びＵＥ２に対する無線リソース制御（ＲＲＣ; Radio Resource Control）層が定義される。ＲＲＣ層はＵＥ２とコアネットワーク４との間にデータを伝送するために確立される無線ベアラー（無線プロトコルの第２層により提供されるサービス）の確立、再構成  解除と関連して伝送及び物理チャンネルを制御することを担当する。無線ベアラーの確立は、例えば特定のサービスを提供するために必要なチャネルの特徴等、プロトコル層の動作を定義し、サービスやそのパラメータの演算方法を設定するプロセスである。
【００１０】
ＲＲＣメッセージの交換のために、特定のＵＥ２のＲＲＣ層とＲＮＣ１０のＲＲＣ層が接続される場合、対応ＵＥはＲＲＣ−接続状態にあると言われる。このような接続のない場合、ＵＥ２はＲＲＣアイドルモードにある。ＵＥ２のサービングＲＮＣ（Ｒ１）１０はＲＮＣへのＲＲＣ接続が確立される時に決定される。
【００１１】
ＲＮＣ１０は、セルユニットによって対応ＵＥ２を認識し制御する。ＲＮＣ１０はＲＲＣアイドルモードにあるＵＥ２の存在は認識できない。コアネットワーク（ＭＳＣ、または、ＳＧＳＮ）４はＲＲＣアイドルモードにあるＵＥ２をその位置またはルーティング領域（一つのセルより大きい領域）により制御する。アイドルモードにあるＵＥ２が例えばＭＢＭＳ（Multimedia Broadcast/Multicast Service）データなどのポイントツーマルチポイント・サービスデータが受信できる間、音声やパケットデータを含む一般的な移動通信サービスを受信するためにはＵＥ２がＲＲＣ−接続状態でなければならない。
【００１２】
ＭＢＭＳはダウンリンク−専用ＭＢＭＳベアラーサービスを用いて複数のＵＥ２にストリーミングまたはバックグラウンドサービスを提供する。ＵＴＲＡＮ６において、ＭＢＭＳベアラーはポイントツーポイント（ｐ−ｔ−ｐ）またはポイントツーマルチポイント（ｐ−ｔ−ｍ）無線ベアラーサービスを活用する。
【００１３】
その名称が示唆するように、ＭＢＭＳはブロードキャストモードまたはマルチキャストモードで遂行される。ブロードキャストモードでは、例えばブロードキャスト・サービスを用いることができるドメインなど、サービス領域内の全てのユーザにマルチメディアデータが伝送される。マルチキャストモードでは、例えばマルチキャスト・サービスを用いることができるドメインなど、サービス領域内の特定のユーザグループにマルチメディアデータが伝送される。
【００１４】
従来のマルチキャストモード伝送が図３に図示されるが、これは特定のＵＥ２と特定のＭＢＭＳの並行イベントを表している。図３を参照すれば、ＭＢＭＳが提供されるＵＥ２はまずＵＥ２とＭＢＭＳ提供者との間の関係を確立する加入プロシジャーを完了する。加入する全てのＵＥ２は、ネットワークによって提供され、特定のＭＢＭＳに対応する、加入ＵＥ２に提供されるサービス目録及び関連情報を知らせるサービス開始の通知を受信する。
【００１５】
特定のＭＢＭＳを受信するＵＥ２の特定のグループに参加するために、ＵＥはマルチキャストグループに"参加（join）"する。マルチキャストグループに参加するということは、特定のＭＢＭＳを受信しようとする意図をＵＭＴＳネットワーク１に通知することを含む。グループへの参加を終えるためには、ＵＥ２は"脱退（leave）"動作を遂行する。加入、参加、脱退は各サービスに対して各々のＵＥ２により遂行され、データ伝送前、後またはデータ伝送中の任意の時間に遂行できる。
【００１６】
例えば、サービス開始の通知の伝送後や、サービス停止の通知の前など、特定のＭＢＭＳが進行中の間、サービスの一つ以上のセッションを順次発生させることができる。セッションはデータ伝送期間に対応する。ＭＢＭＳデータソースがＭＢＭＳデータ伝送を準備する際、コアネットワーク４はＲＮＣ１０にセッション開始を知らせる。例えば、長期間のアイドル期間など、拡張された期間に、データ伝送が不可能であると判定される場合、コアネットワーク４はＲＮＣ１０にセッション停止を知らせる。特定のＭＢＭＳに対するデータ伝送はセッション開始とセッション停止との間の時間のみで行うことができ、これによって特定のＭＢＭＳに対するマルチキャストグループに参加したＵＥ２のみがＭＢＭＳデータを受信できる。
【００１７】
セッション開始プロセスにおいて、コアネットワーク４からセッション開始を受信したＲＮＣ１０は参加中の（参加した）ＵＥ２にＭＢＭＳ通知をＭＢＭＳデータ伝送前に少なくとも１回伝送し、これによってＵＥ２に所定のセルで特定のＭＢＭＳのデータ伝送が差し迫ったという事実を知らせる。セッション開始時に、ＲＮＣ１０は特定のセル内で参加したＵＥ２を認識してカウントする。
【００１８】
カウンティングプロセスの結果、ＲＮＣ１０はポイントツーポイント無線ベアラーを確立すべきか、または、ポイントツーマルチポイント無線ベアラーを確立すべきかの可否を、設定されたしきい値により決定する。ＲＮＣ１０はカウントされたＵＥ２の数がしきい値以下であればポイントツーポイントＭＢＭＳ無線ベアラーを確立し、カウントされたＵＥ２の数がしきい値を超過すればポイントツーマルチポイントＭＢＭＳ無線ベアラーを確立する。
【００１９】
一旦、ＭＢＭＳ無線ベアラーが決定されれば、ＲＮＣ１０はこれによってＵＥ２に知らせる。カウントがポイントツーポイント無線ベアラーを保証すれば、特定のサービスのために参加した全てのＵＥ２はＭＢＭＳデータの受信のためにＲＲＣ−接続状態に遷移することが要求される。一方、ＲＲＣアイドルモードにあるＵＥ２に対してはポイントツーマルチポイント無線ベアラーによる受信が可能になるので、ポイントツーマルチポイント無線ベアラーが確立されればこのような遷移は不要である。サービスの受信を希望するＵＥ２がないとカウンティングプロセスが判定すれば、無線リソースの不要な消費を回避するために無線ベアラーが確立されず、ＭＢＭＳデータが伝送されない。
【００２０】
特定のＭＢＭＳの１つのセッションのためにＭＢＭＳデータがコアネットワーク４から受信される場合、ＲＮＣ１０は確立された無線ベアラーを使用してデータを伝送する。セッション停止を受信すれば、ＲＮＣ１０は確立された無線ベアラーを解除する。各々の後続セッションに対して新たな無線ベアラーが確立されなければならない。これ以上スケジュールリングされたセッションがなければ、サービス停止の通知が伝送される。
【００２１】
前記のプロセスのＭＢＭＳ伝送プロトコルは各サービスに対して制御ＲＮＣ１０を経てＵＥ２とコアネットワーク（より上位層でも）との間で実行される。ＲＲＣ−接続の際、ＵＥ２がＲＮＣ１０により制御されるセルに残るならば、例えばサービングＲＮＣ（Ｒ１）のみを使用する等、図２Ａの構成に基づいてプロトコルが実行される。ドリフトＲＮＣ（Ｒ２）１０が必要であれば、図２Ｂの構成に基づいてプロトコルが実行され、ＵＥ２はドリフトＲＮＣ（Ｒ２）及びサービングＲＮＣ（Ｒ１）のうち、少なくとも一つを経て、より上位層に接続される。
【００２２】
ＭＢＭＳを提供するＲＮＣ１０は、各セルで特定のＭＢＭＳに参加するＵＥ２のうち、ＲＲＣ−接続モードにあるＵＥ２を認識して制御する。ＲＮＣ１０は各セルで各々のＭＢＭＳに対してＲＲＣ−接続モードにあるＵＥ２の目録を作成する。その目録は各々のＵＥをその無線一時識別子（ＲＮＴＩ; Radio Network Temporary Identifier）により識別する。所定の制御ＲＮＣ１０に対して参加したＵＥ２の数はＭＢＭＳ遷移中に増加するので、各セルに対してＭＢＭＳアタッチプロセスが遂行される。
【００２３】
図４は、ＲＲＣ−接続移動端末２がサービングＲＮＣ（Ｒ１）１０のセルからドリフトＲＮＣ（Ｒ２）のセルに移動する場合、従来のＭＢＭＳアタッチプロセスを図示する。サービングＲＮＣ（Ｒ１）１０はドリフトＲＮＣ（Ｒ２）にＭＢＭＳアタッチ要求メッセージを伝送し、ＭＢＭＳアタッチメッセージは、以前のセル、特定のＭＢＭＳ、移動端末２に対する識別子を含む。
【００２４】
移動端末２のＲＲＣ−接続モードを管理するための無線リソースが割り当てられることができるならば、ドリフトＲＮＣ（Ｒ２）１０はＲＲＣ−接続移動端末のリストに含ませるために、移動端末のＲＮＴ１を添付することにより前記要求を受け入れる。続いて、ドリフトＲＮＣ（Ｒ２）１０はＭＢＭＳアタッチ応答メッセージを経てサービングＲＮＣ（Ｒ１）に肯定応答を伝送し、サービングＲＮＣ（Ｒ１）１０はポイントツーポイント無線ベアラーを使用してドリフトＲＮＣ（Ｒ２）を経て移動端末２にＭＢＭＳデータを伝送する。使用可能な無線リソースがない場合、ドリフトＲＮＣ（Ｒ２）１０は前記要求を拒絶し、サービングＲＮＣ（Ｒ１）に否定応答を伝送する。
【００２５】
図４に示すように、ドリフトＲＮＣ（Ｒ２）１０は特定の移動端末２のＲＲＣ−接続モードが維持できるか否かによって移動端末２に対してサービングＲＮＣ（Ｒ１）に肯定または否定応答を伝送する。肯定応答の場合、サービングＲＮＣ（Ｒ１）１０はポイントツーポイント無線ベアラーを使用して移動端末２にＭＢＭＳデータを続けて伝送する。
【００２６】
しかしながら、ポイントツーマルチポイント無線ベアラーを使用してドリフトＲＮＣ（Ｒ２）１０からＭＢＭＳデータが伝送中の場合、ドリフトＲＮＣ（Ｒ２）のポイントツーマルチポイント無線ベアラーを通じたＭＢＭＳデータの可用性にも関わらず、依然として、移動端末２にはサービングＲＮＣ（Ｒ１）１０のポイントツーポイント無線ベアラーを経てＭＢＭＳデータが提供される。ポイントツーポイント無線ベアラーの専用リソースが不必要に使用され、これによってサービングＲＮＣ（Ｒ１）１０とドリフトＲＮＣ（Ｒ２）との間にデータ流れを増加させ、ドリフトＲＮＣ（Ｒ２）と移動端末２との間の無線リソースの効率を低減させる。
【発明の開示】
【発明が解決しようとする課題】
【００２７】
したがって、移動端末がサービングＲＮＣにより制御されるセルからドリフトＲＮＣにより制御されるセルに移動する場合、使用可能なポイントツーマルチポイント無線ベアラーを経て移動端末にポイントツーマルチポイント・サービスを提供する方法及び装置が必要である。本発明はこれら及びその他の必要性を充足させる。 
【課題を解決するための手段】
【００２８】
本発明は、例えばサービングＲＮＣなど、一つのネットワーク制御器により制御される領域から、例えばドリフトＲＮＣなど、他のネットワーク制御器により制御される領域へ移動する移動端末にポイントツーマルチポイント・サービスを提供する方法及び装置に関し、より詳しくは、サービスのためにドリフトＲＮＣがポイントツーポイント無線ベアラーを提供するか、または、ポイントツーマルチポイント無線ベアラーを提供するかを表す情報を、ドリフトＲＮＣからサービングＲＮＣに伝送することを容易にして、ドリフトＲＮＣがポイントツーマルチポイント無線ベアラーを経てサービスを提供する場合、サービングＲＮＣがドリフトＲＮＣにポイントツーマルチポイント・サービスデータを提供しないようにする方法及び装置であ。
【００２９】
本発明の追加的な特徴及び利点は以下の説明で開示されるはずであり、一部は以下の説明から自明であったり、または、本発明の実施により学習できるはずである。本発明の目的及びその他の利点は、添付の図面だけでなく、本明細書に記載された説明及び特許請求範囲で具体的に表れる構造により実現され取得できるはずである。
【００３０】
本明細書に示され、広範囲に説明されるように、本発明の目的によりこれら及びその他の利点を達成するために、本発明は、移動端末に提供される特定のポイントツーマルチポイント・サービスのために第２ネットワーク制御器が支援する通信モードに関する情報を第１ネットワーク制御器に提供し、ポイントツーマルチポイント・サービスデータがポイントツーポイント無線ベアラーを経て第２ネットワークに提供されるか、または、コアネットワークにより直接提供されるかに関して第１ネットワークによる判定を容易にする方法及び装置として実現される。具体的には、移動端末がサービングＲＮＣにより制御される領域からドリフトＲＮＣにより制御される領域へ移動する場合、サービングＲＮＣは特定のポイントツーマルチポイント・サービスに対するアタッチ要求メッセージをドリフトＲＮＣに提供し、ドリフトＲＮＣは特定のポイントツーマルチポイント・サービスのために支援される通信モードに関する情報を含む添付の応答メッセージをサービングＲＮＣに提供し、サービングＲＮＣはポイントツーマルチポイント・サービスデータをドリフトＲＮＣに提供するか否かを決定する。
【００３１】
本発明の一態様では、移動端末にポイントツーマルチポイント・サービスを提供する方法が提供される。本方法は、第１ネットワーク制御器により制御される第１セルから第２ネットワーク制御器により制御される第２セルに移動端末が移動する場合、第２ネットワーク制御器がポイントツーポイント通信モードを支援するか、または、ポイントツーマルチポイント通信モードを支援するかを表す情報を第２ネットワーク制御器から受信するステップと、その情報に基づいて、ポイントツーマルチポイント・サービスに関連したデータを第１ネットワーク制御器から第２ネットワーク制御器に伝送するか否かを決定するステップを含む。
【００３２】
ポイントツーマルチポイント・サービスは、マルチメディアブロードキャスト／マルチキャスト・サービス（ＭＢＭＳ; Multimedia Broadcast/Multicast Service）であり得る。第２ネットワーク制御器がポイントツーポイント通信モードを支援するか、または、ポイントツーマルチポイント通信モードを支援するかを表す情報は、ポイントツーマルチポイント・サービスアタッチ応答メッセージに含まれて受信される。
【００３３】
好ましくは、第２ネットワーク制御器がポイントツーマルチポイント通信モードを支援する場合は、第１ネットワーク制御器が第２ネットワーク制御器にポイントツーマルチポイント・サービスを伝送せずに、第２ネットワーク制御器がポイントツーポイント通信モードを支援する場合は、第１ネットワーク制御器が第２ネットワーク制御器にポイントツーマルチポイント・サービスを伝送する。好ましくは、第１ネットワーク制御器がサービングネットワーク制御器であり、第２ネットワーク制御器がドリフトネットワーク制御器である。
【００３４】
本発明の他の態様では、移動端末にポイントツーマルチポイント・サービスを提供する方法が提供される。本方法は、第１ネットワーク制御器により制御される第１セルから第２ネットワーク制御器により制御される第２セルに移動端末が移動する場合、第２ネットワークがポイントツーポイント通信モードを支援するか、または、ポイントツーマルチポイント通信モードを支援するかを表す情報を第２ネットワーク制御器に伝送するステップと、第２ネットワーク制御器を経て直接または第１ネットワーク制御器と第２ネットワーク制御器を経てコアネットワークからポイントツーマルチポイント・サービスデータを受信するステップと、ポイントツーマルチポイント・サービスデータを移動端末に伝送するステップとを含む。
【００３５】
ポイントツーマルチポイント・サービスはＭＢＭＳであり得る。また、ポイントツーマルチポイント・サービスアタッチ要求メッセージに応答して伝送されるポイントツーマルチポイント・サービスアタッチ応答メッセージには第２ネットワーク制御器がポイントツーポイント通信モードを支援するか、または、ポイントツーマルチポイント通信モードを支援するかを表す情報を含ませることができる。
【００３６】
好ましくは、第２ネットワーク制御器がポイントツーマルチポイント通信モードを支援する場合は、第２ネットワーク制御器を経て直接コアネットワークからポイントツーマルチポイント・サービスデータを受信し、第２ネットワーク制御器がポイントツーポイント通信モードを支援する場合は、第１ネットワーク制御器と第２ネットワーク制御器を経てコアネットワークからポイントツーマルチポイント・サービスデータを受信する。好ましくは、第１ネットワーク制御器がサービングネットワーク制御器であり、第２ネットワーク制御器がドリフトネットワーク制御器である。
【００３７】
本発明の他の態様では、移動端末にポイントツーマルチポイント・サービスを提供する方法が提供される。本方法は、第１ネットワーク制御器により制御される第１セルから第２ネットワーク制御器により制御される第２セルに移動端末が移動する場合、第１ネットワーク制御器から第２ネットワーク制御器にポイントツーマルチポイントアタッチ要求メッセージを伝送するステップと、第２ネットワーク制御器がポイントツーポイント通信モードを支援するか、または、ポイントツーマルチポイント通信モードを支援するかを表す情報を第２ネットワークから第１ネットワークに伝送するステップと、第２ネットワーク制御器でのポイントツーマルチポイント・サービスデータを第２ネットワーク制御器を経て直接または第１ネットワーク制御器と第２ネットワーク制御器を経てコアネットワークから受信するステップと、ポイントツーマルチポイント・サービスデータを第２ネットワークに制御器から移動端末に伝送するステップとを含む。
【００３８】
ポイントツーマルチポイント・サービスはＭＢＭＳであり得る。また、第２ネットワーク制御器がポイントツーポイント通信モードを支援するか、または、ポイントツーマルチポイント通信モードを支援するかを表す情報はポイントツーマルチポイント・サービスアタッチ応答メッセージに含ませることができる。
【００３９】
好ましくは、第２ネットワーク制御器がポイントツーマルチポイント通信モードを支援する場合は、第２ネットワーク制御器を経てコアネットワークから第２ネットワーク制御器でのポイントツーマルチポイント・サービスデータが受信され、第２ネットワーク制御器がポイントツーポイント通信モードを支援する場合は、第１ネットワーク制御器と第２ネットワーク制御器を経てコアネットワークから第２ネットワーク制御器でのポイントツーマルチポイント・サービスデータを受信する。好ましくは、第１ネットワーク制御器がサービングネットワーク制御器であり、第２ネットワーク制御器がドリフトネットワーク制御器である。
【００４０】
本発明の他の態様では、移動端末にポイントツーマルチポイント・サービスを提供する無線ネットワークサブシステムが提供される。無線ネットワークサブシステムは、送信器、受信器、格納ユニット、制御器を含む。
【００４１】
送信器は移動端末と第２無線ネットワークシステムにポイントツーマルチポイント・サービスデータを伝送する。受信器は第２無線ネットワークサブシステムがポイントツーポイント通信モードとポイントツーマルチポイント通信モードのうち、何れかを支援するかを表す情報を受信する。情報格納ユニットは第２無線ネットワークサービスシステムが支援する通信モードに関連した情報を格納する。制御器は本発明の方法を遂行して、指定された領域内の移動端末を制御し、第２無線ネットワークサブシステムから受信された情報を処理して、移動端末が指定された領域から第２無線ネットワークサブシステムにより制御される領域へ移動する場合、ポイントツーマルチポイント・サービスと関連したポイントツーマルチポイント・サービスデータを第２無線ネットワークサブシステムに伝送するか否かを決定する。
【００４２】
ポイントツーマルチポイント・サービスはＭＢＭＳであり得る。また、受信器は第２無線ネットワークサブシステムがポイントツーポイント通信モードを支援するか、または、ポイントツーマルチポイント通信モードを支援するかを表す情報を含むポイントツーマルチポイント・サービスアタッチ応答メッセージを受信するように適合されることができる。
【００４３】
好ましくは、第２無線ネットワークサブシステムがポイントツーマルチポイント通信モードを支援する場合は、ポイントツーマルチポイント・サービスデータを第２無線ネットワークサブシステムに伝送せず、第２無線ネットワークサブシステムがポイントツーポイント通信モードを支援する場合は、ポイントツーマルチポイント・サービスデータを第２無線ネットワークサブシステムに伝送するように制御器が適合される。好ましくは、制御器がサービングネットワーク制御器であり、第２無線ネットワーク制御器がドリフトネットワーク制御器を含む。
【００４４】
本発明の他の態様では、ポイントツーマルチポイント・サービスを移動端末に提供する無線ネットワークサブシステムが提供される。無線ネットワークサブシステムは、送信器、受信器、格納ユニット、制御器を含む。
【００４５】
送信器は、ポイントツーマルチポイント・サービスを移動端末に伝送し、無線ネットワークサブシステムがポイントツーポイント通信モードとポイントツーマルチポイント通信モードのうち、何れを支援するかを表す情報を第２無線ネットワークサブシステムに伝送する。受信器はコアネットワークから直接または第２無線ネットワークサブシステムを経てコアネットワークからポイントツーマルチポイント・サービスデータを受信する。情報格納ユニットは無線ネットワークサブシステムが支援する通信モードに関連した情報を格納する。制御器は本発明の方法を遂行して指定された領域内の移動端末を制御し、第２無線ネットワークサブシステムにより制御される領域から指定された領域へ移動端末が移動する場合、ポイントツーポイント通信モード、または、ポイントツーマルチポイント通信モードのうち、何れが支援されるかを表す情報を提供する。
【００４６】
ポイントツーマルチポイント・サービスはＭＢＭＳであり得る。また、受信器は第２無線ネットワークサブシステムからポイントツーマルチポイント・サービスアタッチ要求メッセージを受信するように適合でき、制御器はポイントツーマルチポイント・サービスアタッチ要求メッセージに応答してポイントツーポイント通信モード、または、ポイントツーマルチポイント通信モードのどちらが支援されるのかを表す情報を提供するように適合される。また、送信器はポイントツーマルチポイント・サービスアタッチ応答メッセージを第２無線ネットワークサブシステムに伝送するように適合でき、制御器はポイントツーマルチポイント・サービスアタッチ要求メッセージで情報を提供するように適合できる。
【００４７】
好ましくは、ポイントツーマルチポイント通信モードが支援される場合は、ポイントツーマルチポイント・サービスデータはコアネットワークから直接受信され、ポイントツーポイント通信モードが支援される場合、ポイントツーマルチポイント・サービスデータは第２無線ネットワークサブシステムを経てコアネットワークから受信される。好ましくは、制御器がドリフトネットワーク制御器であり、第２無線ネットワークサブシステムがドリフトネットワーク制御器を含む。
【００４８】
本発明の前述した説明及び以下の詳細な説明は全て例示的なものであり、特許請求範囲で請求される本発明に対してより具体的な説明を提供するためのものであるという点が理解されるべきである。
【００４９】
当業者は本発明に多様な変更及び変形がなされるという点を理解できるはずである。したがって、本発明は添付の特許請求範囲及びその等価物の範囲内で提供される変更及び変形をカバーするものである。
【発明の効果】
【００５０】
本発明によれば、第１及び第２ネットワーク制御器間に不要なデータ伝送を防止し、第２無線ネットワーク制御器ＤＲＮＣと移動端末ＵＥとの間の無線リソース効率性を増加させる効果が得られる。
【発明を実施するための最良の形態】
【００５１】
本発明は、一つのネットワーク制御器により制御される領域から他のネットワーク制御器により制御される領域へ移動する端末機にポイントツーマルチポイント・サービスを提供する方法及び装置に関するものである。本発明が移動端末に関して示されるが、第１制御器により制御される領域から第２制御器により制御される領域へ移動するデバイスにポイントツーマルチポイント・サービスを提供することが必要なら本発明を何時でも利用することができる。
【００５２】
本発明の以下の説明において、移動端末が参加した特定のポイントツーマルチポイント・サービスの伝送モード状態は、無線ベアラーがポイントツーポイントベアラーなのか、または、ポイントツーマルチポイントベアラーなのかの指示である。伝送モード状態情報は第１制御器が第２制御器に要求したポイントツーマルチポイント・サービスアタッチ要求応答に含まれることができる。
【００５３】
本発明によれば、例えばサービング無線ネットワーク制御器（ＳＲＮＣ;Serving Radio Network Controller）１０などの第１ネットワーク制御器は、例えばＭＢＭＳと関連したＭＢＭＳアタッチ応答メッセージなど、ポイントツーマルチポイント・サービスと関連したポイントツーマルチポイント・サービスアタッチ応答メッセージを受信する。ＭＢＭＳアタッチ応答メッセージは、例えばドリフト無線ネットワーク制御器[（ＤＲＮＣ: Drift Radio Network Controller、Ｒ２）]１０など、第２ネットワーク制御器から受信される。サービングＲＮＣ（Ｒ１）１０はＭＢＭＳアタッチ応答メッセージに含まれた伝送モード状態情報を用いてＭＢＭＳデータをドリフトＲＮＣ（Ｒ２）に提供するか否かをを決定する。
【００５４】
伝送モード状態情報がポイントツーポイント無線ベアラーを表す場合、サービングＲＮＣ（Ｒ１）１０はＭＢＭＳ伝送をドリフトＲＮＣ（Ｒ２）に伝える必要があると決定する。伝送モード状態情報がポイントツーマルチポイント無線ベアラーを表す場合、サービングＲＮＣ（Ｒ１）１０はドリフトＲＮＣ（Ｒ２）へのＭＢＭＳ伝送が不要であると決定する。
【００５５】
図５を参照すれば、本発明の一実施形態に係る方法１００が図示される。本方法は、ドリフトＲＮＣ（Ｒ２）１０に適用できるものであって、ＭＢＭＳアタッチ要求メッセージを受信するステップ（Ｓ１０２）と、要求されたサービスが提供できるか否かを判定するステップ（Ｓ１０４）と、サービス要求に対して肯定応答を表すステップ（Ｓ１０６）と、ＭＢＭＳアタッチ応答メッセージに支援される伝送モード状態の表示を添付するステップ（Ｓ１０８）と、サービス要求に対して否定応答を表すステップ（Ｓ１１０）と、ＭＢＭＳアタッチ応答メッセージをサービングＲＮＣ（Ｒ１）１０に伝送するステップ（Ｓ１１２）とを含む。
【００５６】
ステップＳ１０２では、移動端末２がサービングＲＮＣ（Ｒ１）により制御される領域からドリフトＲＮＣ（Ｒ２）により制御される領域へ移動する場合、ドリフトＲＮＣ（Ｒ２）１０がサービングＲＮＣ（Ｒ１）からＭＢＭＳアタッチ要求メッセージを受信する。ＭＢＭＳアタッチ要求メッセージは特定のＭＢＭＳサービスが移動端末２に提供されることを要求する。ステップ１０４では、例えば移動端末２のＲＲＣ接続を維持するための無線リソースが割り当てられるか否か等、ＭＢＭＳサービス要求が受け入れることができるか否か判定される。
【００５７】
ＭＢＭＳサービス要求が受け入れられると、ステップＳ１０６でＭＢＭＳアタッチ要求メッセージを"肯定（affirmative）"に設定することによって、ドリフトＲＮＣ（Ｒ２）１０は移動端末の識別子（Ｕ−ＲＮＴＩ）にＲＲＣ−接続モード移動端末の目録を添付し、ステップＳ１０８でドリフトＲＮＣ（Ｒ２）の伝送モード状態情報をＭＢＭＳアタッチ応答メッセージに添付する。ＲＲＣ−接続モード移動端末の目録は、例えば移動端末が移動した新たなセルに参加した移動端末に提供される特定のＭＢＭＳに対するＲＲＣ−接続モード移動端末２の識別子を含む。伝送モード状態情報は移動端末２にＭＢＭＳを提供する無線ベアラーがポイントツーポイントなのか、または、ポイントツーマルチポイントなのかを点検することにより取得される。
【００５８】
ＭＢＭＳサービス要求が受け入れられないと、ステップＳ１１０でドリフトＲＮＣ（Ｒ２）１０はＭＢＭＳアタッチ要求メッセージを"否定（negative）"に設定して、ドリフトＲＮＣ（Ｒ２）は移動端末のＭＢＭＳアタッチ要求を拒絶する。移動端末２のＵ−ＲＮＴＩ識別子はＲＲＣ−接続モード移動端末の目録に添付されない。伝送モード状態情報はＭＢＭＳアタッチ応答メッセージから省略され、否定応答の原因表示をも含む。否定応答原因情報はＭＢＭＳがＲＲＣアイドルモードで受信できるということ、ＭＢＭＳがＲＲＣ−接続モードで受信できないということ、または、ドリフトＲＮＣ（Ｒ２）１０が移動端末をＲＲＣ−接続モードに維持するためのリソースを割り当てられなかったということを移動端末２に知らせるものである。
【００５９】
ステップＳ１１２では、ＭＢＭＳアタッチ応答メッセージがサービングＲＮＣ（Ｒ１）１０に伝送される。ＭＢＭＳアタッチ応答メッセージはサービス要求に対する肯定応答と伝送モード状態情報またはサービス要求に対する否定応答を含む。
【００６０】
図６を参照すれば、本発明の一実施形態に係る方法２００が図示される。本方法２００は、サービングＲＮＣ（Ｒ１）１０に適用できるものであって、ＭＢＭＳアタッチ応答メッセージを受信するステップ（Ｓ２０２）を含み、かつ、サービス要求に対して肯定応答を仮定して、ＲＮＣ（Ｒ２）の伝送モード状態を判定するステップ（Ｓ２０４）と、ＭＢＭＳデータをドリフトＲＮＣ（Ｒ２）に伝送するか（Ｓ２０６）伝送しないかのいずれかのステップ（Ｓ２０８）を含む。
【００６１】
ステップＳ２０２では、ドリフトＲＮＣ（Ｒ２）１０からＭＢＭＳアタッチ応答メッセージが受信される。ＭＢＭＳアタッチ応答メッセージはサービス要求に対する肯定応答とドリフトＲＮＣ（Ｒ２）１０が支援する伝送モード状態、または、サービス要求に対する否定応答を含む。
【００６２】
本発明の方法を説明するために、ＭＢＭＳアタッチ応答メッセージが肯定応答と伝送モード状態を含むと仮定する。ステップＳ２０４では、ドリフトＲＮＣ（Ｒ２）１０に対し表示される伝送モード状態が判定される。
【００６３】
ドリフトＲＮＣ（Ｒ２）１０の伝送モード状態がポイントツーポイント（ｐ−ｔ−ｐ）であれば、Ｉｕｒインターフェースを経てドリフトＲＮＣ（Ｒ２）にＭＢＭＳデータが伝送されなければならないと判定される。ステップＳ２０６では、Ｉｕｒインターフェースを経てドリフトＲＮＣ（Ｒ２）にＭＢＭＳデータが伝送される。
【００６４】
ドリフトＲＮＣ（Ｒ２）１０の伝送モード状態がポイントツーマルチポイント（ｐ−ｔ−ｍ）であれば、Ｉｕｒインターフェースを通じたＭＢＭＳデータの伝送は不要である。ステップＳ２０８では、ドリフトＲＮＣ（Ｒ２）１０にＭＢＭＳデータが伝送されない。
【００６５】
図７及び図８は、図６の２つの可能なシナリオを図示する。図７及び図８に示すように、移動端末２、またはＲＲＣ−接続モードにあるユーザ設備（ＵＥ）はサービングＲＮＣ（Ｒ１）１０により制御されるセルからドリフトＲＮＣ（Ｒ２）により制御されるセルに移動した。また、ＲＲＣ接続を維持するためのリソースがドリフトＲＮＣ（Ｒ２）で使用可能なので、ドリフトＲＮＣ（Ｒ２）がサービングＲＮＣ（Ｒ１）からＭＢＭＳアタッチ要求を受け入れると仮定する。
【００６６】
移動端末はサービングＲＮＣ（Ｒ１）１０を経てその端末機自体のＲＲＣ−接続モードを維持しながらポイントツーポイント、または、ポイントツーマルチポイント無線ベアラーを経て特定のＭＢＭＳを受信している。ＵＥ２が新しいセルに移動する場合、サービングＲＮＣ（Ｒ１）１０はＭＢＭＳアタッチ要求メッセージをドリフトＲＮＣ（Ｒ２）に伝送する。ＭＢＭＳアタッチ要求メッセージは特定のサービスのＭＢＭＳ ＩＤ、サービングＲＮＣ（Ｒ１）１０のセルＩＤ、ＵＥ２のＵ−ＲＮＴＩ情報を含む。
【００６７】
ドリフトＲＮＣ（Ｒ２）１０は、ＭＢＭＳアタッチ要求メッセージを受信し、特定のサービスのＭＢＭＳ ＩＤ、ドリフトＲＮＣ（Ｒ２）のセルＩＤ及び移動端末２のＵ−ＲＮＴＩ情報の以外に伝送モード状態情報を含むＭＢＭＳアタッチ応答メッセージを伝送する。伝送モード状態情報は、ドリフトＲＮＣ（Ｒ２）１０に割り当てられるべきリソースがポイントツーポイント無線ベアラーなのか、または、ポイントツーマルチポイント無線ベアラーなのかを表す。サービングＲＮＣ（Ｒ１）１０は、ドリフトＲＮＣ（Ｒ２）からＭＢＭＳアタッチ応答メッセージを受信し、伝送モード状態を利用してＭＢＭＳデータをドリフトＲＮＣ（Ｒ２）に伝送すべきか否かを判定する。
【００６８】
図７に示すように、ドリフトＲＮＣ（Ｒ２）１０の伝送モード状態はポイントツーポイントであり、サービングＲＮＣ（Ｒ１）はＩｕｒインターフェースを介したドリフトＲＮＣ（Ｒ２）へのＭＢＭＳデータ伝送が必要であると判定する。サービングＲＮＣ（Ｒ１）１０はＩｕｒインターフェースを経てドリフトＲＮＣ（Ｒ２）にＭＢＭＳデータを伝送し、ＵＥ２にはドリフトＲＮＣ（Ｒ２）のポイントツーポイント無線ベアラーを経てＭＢＭＳが提供される。
【００６９】
図８に示すように、ドリフトＲＮＣ（Ｒ２）１０の伝送モード状態はポイントツーマルチポイントであり、サービングＲＮＣ（Ｒ１）はＩｕｒインターフェースを介したドリフトＲＮＣ（Ｒ２）へのＭＢＭＳデータ伝送が不要であると判定する。サービングＲＮＣ（Ｒ１）１０はＩｕｒインターフェースを経てドリフトＲＮＣ（Ｒ２）にＭＢＭＳデータを伝送せず、ＵＥ２にはドリフトＲＮＣ（Ｒ２）のポイントツーマルチポイント無線ベアラーを経てＭＢＭＳが提供される。
【００７０】
図９は、本発明の一実施形態に係るＵＴＲＡＮ３００のブロック図を図示する。ＵＴＲＡＮ３００は一つ以上の無線ネットワークサブシステム[（RNS; Radio Network Subsystems）]３２５を含む。各々のＲＮＳ３２５は無線ネットワーク制御器（ＲＮＣ）３２３とＲＮＣにより制御される複数のノード−Ｂ（基地局）３２１を含む。ＲＮＣ３２３は無線リソースの割当及び管理を取り扱い、コアネットワーク４に対するアクセスポイントとして動作する。また、ＲＮＣ３２３は本発明の方法を遂行するように適合される。
【００７１】
ノード−Ｂ３２１は、移動端末２の物理層が送った情報をアップリンクを経て受信し、ダウンリンクを経て移動端末にデータを伝送する。ノード−Ｂ３２１は移動端末２に対してＵＴＲＡＮ３００のアクセスポイントまたは送信器及び受信器として動作する。
【００７２】
上述したように、本発明の方法によれば、ドリフトＲＮＣは、移動端末が移動したセルのサービス伝送状態をサービングＲＮＣが認識できるようにするＭＢＭＳ無線ベアラー情報を含むＭＢＭＳアタッチ応答メッセージをサービングＲＮＣに伝送し、これによりサービングＲＮＣをしてドリフトＲＮＣへのＭＢＭＳデータ伝送が必要であるか否かを判定できるようにする。サービングＲＮＣとドリフトＲＮＣとの間の不要なデータ伝送が防止され、ドリフトＲＮＣと移動端末との間の無線リソースの効率が増加する。
【００７３】
当業者には、例えばプロセッサーやその他のデータまたはデジタル処理デバイスを単独に、または、外部支援ロジックと組み合せて使用することによって、本発明の好ましい実施形態が容易に具現できるということが自明であるはずである。本発明の方法は、ＣＤ−ＲＯＭ、ＲＡＭ、フロッピー（登録商標）ディスク、ハードディスク、または、磁気−光ディスクなどの媒体に格納されたコンピュータ読取可能プログラムとして具現されてもよい。
【００７４】
本発明が移動通信の内容で記述されたが、本発明は無線通信能力を備えるＰＤＡやラップトップコンピュータなど、移動デバイスを使用する任意の無線通信システムでも用いることができる。また、本発明を説明するために特定の用語を使用したのは本発明の範囲をＵＭＴＳ等、特定のタイプの無線通信システムに限定するたためではない。本発明は、例えばＴＤＭＡ、ＣＤＭＡ、ＦＤＭＡ、ＷＣＤＭＡなど、互いに異なるエアーインターフェース及び／または物理層を使用するその他の無線通信システムにも適用することができる。
【００７５】
標準プログラミング及び／または工学技術を使用してソフトウェア、ファームウエア、ハードウェアまたはこれらの任意の組合せを生成する方法、装置または製造物が好ましい実施形態として具現されることができる。本明細書に使用された"製造物"という用語は、ハードウェアロジック[例えば、集積回路チップ、ＦＰＧＡ（Field Programmable Gate Array）、ＡＳＩＣ（Application Specific Integrated Circuit）等] またはコンピュータ読取可能媒体[例えば、磁気情報格納媒体（ハードディスクドライブ、フロッピーディスク、テープ等）、光情報格納（ＣＤ−ＲＯＮ、光ディスク等）、揮発性及び不揮発性メモリデバイス（ＥＥＰＲＯＭ、ＲＯＭ、ＰＲＯＭ、ＲＡＭ、ＤＲＡＭ、ＳＲＡＭ、ファームウエア、プログラマブルロジック等）]として具現されるコードまたはロジックを称する。
【００７６】
コンピュータ読取可能媒体にあるコードはプロセッサーによりアクセスされて実行される。好ましい実施形態が具現されるコードは、伝送媒体を通じたりネットワークに対してファイルサーバーからアクセスできる。このような場合、コードが実装される製造物はネットワーク伝送ライン、無線伝送媒体、空間を経て電波する信号、無線波、赤外線信号などの伝送媒体を含む。勿論、当業者であれば本発明の範囲から外れずにこのような構成に多数の変更事項がなされることができるということと、製造物は当業界に知られた任意の情報含有媒体を含むことができるということを理解できるはずである。
【００７７】
図面に示された論理は特定の順序として発生する、特定の演算である。代案的な論理として、特定の論理演算が異なる順序で遂行されたり、変形、除去、また、上述したロジックにステップを付加することができ、本発明の好ましい実施形態を変わらずに実現することができる。
【図面の簡単な説明】
【００７８】
【図１】ＵＭＴＳネットワークの一般的構造を示すブロック図である。
【図２Ａ】図１のＵＭＴＳネットワークの一部を示す図であって、ＵＥをサービングＲＮＣのみを経てＵＴＲＡＮに接続させる従来の接続を示す図である。
【図２Ｂ】図１のＵＭＴＳネットワークの一部を示す図であって、ＵＥをドリフトＲＮＣとサービングＲＮＣを経てＵＴＲＡＮに接続させる従来の接続を示す図である。
【図３】マルチキャストモードにおける従来のＭＢＭＳ伝送を示す図であって、一つのＵＥに特定のＭＢＭＳの１つのセッションが伝送されることを示す図である。
【図４】従来のＭＢＭＳ添付プロセスを示す図である。
【図５】本発明の一実施形態に係るドリフトＲＮＣ方法のフローチャートである。
【図６】本発明の一実施形態に係るサービングＲＮＣ方法のフローチャート である。
【図７】本発明の一実施形態に係る一対一サービス伝送を示す図である。
【図８】本発明の一実施形態に係る一対多サービス伝送を示す図である。
【図９】本発明の一実施形態により移動端末に一対多サービスを提供するＵＴＲＡＮを示す図である。
【符号の説明】
【００７９】
２…ＵＥ、４…コアネットワーク、６…ＵＴＲＡＮ、１０…ＲＮＣ、１２…ノードＢ
【図１】
2007503738.tif 000003
【図２Ａ】
2007503738.tif 000004
【図２Ｂ】
2007503738.tif 000005
【図３】
2007503738.tif 000006
【図４】
2007503738.tif 000007
【図５】
2007503738.tif 000008
【図６】
2007503738.tif 000009
【図７】
2007503738.tif 000010
【図８】
2007503738.tif 000011
【図９】
2007503738.tif 000012
【国際調査報告】
2007503738.tif 000013
2007503738.tif 000014
2007503738.tif 000015